【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
フレームの各サブフレームのためのレガシーサブフレーム構成オプションを定義するレガシーアップリンク／ダウンリンク（ＵＬ／ＤＬ）構成を識別することと、ここにおいて、前記レガシーサブフレーム構成オプションが、ＵＬサブフレーム構成、ＤＬサブフレーム構成、またはスペシャルサブフレーム構成を備える、
前記サブフレームのための前記レガシーサブフレーム構成が前記ＵＬサブフレーム構成、前記ＤＬサブフレーム構成、または前記スペシャルサブフレーム構成であるかどうかに少なくとも部分的に基づいて、前記フレームのサブフレームのための制約を決定することと、
前記制約に少なくとも部分的に基づいて、前記フレームの前記サブフレームのための適応サブフレーム構成を決定することと、ここにおいて、前記サブフレームのための前記レガシーサブフレーム構成が前記ＵＬサブフレーム構成、前記ＤＬサブフレーム構成、または前記スペシャルサブフレーム構成であるかどうかに関わらず、前記適応サブフレーム構成が、少なくとも１つのダウンリンク（ＤＬ）シンボル期間と少なくとも１つのアップリンク（ＵＬ）シンボル期間とを備え、前記サブフレームのための前記適応サブフレーム構成を決定することが、前記サブフレームのための前記レガシーサブフレーム構成に少なくとも部分的に基づいて、前記少なくとも１つのＤＬシンボル期間中のＤＬシンボルの数と、前記少なくとも１つのＵＬシンボル期間中のＵＬシンボルの数とを決定することを備える、
前記適応サブフレーム構成に従って前記サブフレーム中に通信することと
を備える方法。
【請求項２】
前記制約は、前記サブフレームのための前記レガシーサブフレーム構成がＤＬサブフレーム構成であるとき、セル固有基準信号（ＣＲＳ）送信またはマルチメディアブロードキャストマルチキャストサービス（ＭＢＭＳ）送信に少なくとも部分的に基づく、請求項１に記載の方法。
【請求項３】
前記制約は、前記サブフレームのための前記レガシーサブフレーム構成がスペシャルサブフレーム構成であるとき、同期信号に少なくとも部分的に基づく、請求項１に記載の方法。
【請求項４】
前記制約は、前記サブフレームのための前記レガシーサブフレーム構成がＵＬサブフレーム構成であるとき、サウンディング基準信号（ＳＲＳ）送信に少なくとも部分的に基づく、請求項１に記載の方法。
【請求項５】
前記レガシーＵＬ／ＤＬ構成が、システム情報（ＳＩ）、拡張干渉管理およびトラフィック適応（ｅＩＭＴＡ）指示、またはＤＬハイブリッド自動再送要求（ＨＡＲＱ）基準構成のうちの少なくとも１つ、あるいはそれらの任意の組合せの受信に部分的に基づいて識別される、請求項１に記載の方法。
【請求項６】
前記適応サブフレーム構成が、複数のシンボルパーティションを備え、前記複数のシンボルパーティションのうちの第１のシンボルパーティションが、複数のユーザ機器（ＵＥ）のうちの第１のＵＥに対応し、前記複数のシンボルパーティションのうちの第２のシンボルパーティションが、前記複数のＵＥのうちの第２のＵＥに対応する、請求項１に記載の方法。
【請求項７】
各シンボルパーティションが、ＤＬ部分と、ＵＬ部分と、ガード期間とを備え、ここにおいて、各パーティションのための前記ＤＬ部分は、別のシンボルパーティションのＵＬ部分が開始する前に終了する、請求項６に記載の方法。
【請求項８】
各シンボルパーティションが、ＵＥの前記セットのうちの対応するＵＥのための、ＤＬデータに対するＵＬデータの比率、ＵＬタイミングアドバンス、リンクバジェット、またはＵＥ処理能力に少なくとも部分的に基づく、請求項６に記載の方法。
【請求項９】
前記適応サブフレーム構成の指示を１つまたは複数のユーザ機器（ＵＥ）に送信すること
をさらに備える、請求項１に記載の方法。
【請求項１０】
基地局から前記適応サブフレーム構成の指示を受信することをさらに備え、ここにおいて、前記適応サブフレーム構成の前記決定が、前記指示に少なくとも部分的に基づく、
請求項１に記載の方法。
【請求項１１】
前記適応サブフレーム構成が、ＤＬ動作のためのシンボルパーティションの第１のセットと、ＵＬ動作のためのシンボルパーティションの第２のセットとを備える、請求項１に記載の方法。
【請求項１２】
前記適応サブフレーム構成が、２つまたはそれ以上の異なる開始シンボルを備え、ここにおいて、各開始シンボルが、あるタイプのＵＬ制御情報（ＵＣＩ）またはＵＬ共有データに関連する、請求項１に記載の方法。
【請求項１３】
前記適応サブフレーム構成が、ＵＬ制御チャネルとＵＬデータチャネルとを備える、請求項１に記載の方法。
【請求項１４】
前記適応サブフレーム構成が、ＵＬデータ部分とハイブリッド自動再送要求（ＨＡＲＱ）フィードバック部分とを備える、請求項１に記載の方法。
【請求項１５】
前記適応サブフレーム構成が、周波数分割多重化（ＦＤＭ）構成または時分割多重化（ＴＤＭ）構成、あるいはそれらの組合せを備える、請求項１に記載の方法。
【請求項１６】
前記適応サブフレーム構成のＤＬ部分が、少なくとも１つの制御チャネルシンボル期間と少なくとも１つのデータチャネルシンボル期間とを備える、請求項１に記載の方法。
【請求項１７】
ＤＬ許可が前記適応サブフレーム構成の第１の構造を示し、ＵＬ許可が前記適応サブフレーム構成の第２の構造を示す、請求項１に記載の方法。
【請求項１８】
前記適応サブフレーム構成が基準信号構成を備え、ここにおいて、前記基準信号構成の各基準信号が、それぞれ、前記サブフレームの第１のスロットのシンボル期間に対応する、請求項１に記載の方法。
【請求項１９】
前記基準信号構成がチャネル状態情報（ＣＳＩ）基準信号（ＣＳＩ−ＲＳ）構成を備え、ここにおいて、前記ＣＳＩ−ＲＳ構成が動的にまたは半静的に示される、請求項１８に記載の方法。
【請求項２０】
前記適応サブフレーム構成が、ＤＬ動作またはＵＬ動作のうちの少なくとも１つのためのトランスポートブロックサイズ（ＴＢＳ）スケーリングパラメータに関連し、ここにおいて、前記ＴＢＳスケーリングパラメータが、前記適応サブフレーム構成に少なくとも部分的に基づいて決定される、請求項１に記載の方法。
【請求項２１】
前記適応サブフレーム構成が、前記フレームのＤＬサブフレーム、スペシャルサブフレーム、またはＵＬサブフレームに関連するハイブリッド自動再送要求（ＨＡＲＱ）プロセスのセットとは異なるＨＡＲＱプロセスに関連する、請求項１に記載の方法。
【請求項２２】
前記適応サブフレーム構成が、前記レガシーサブフレーム構成に関連するソフトバッファの第２の部分とは異なる前記ソフトバッファの第１の部分に関連する、請求項１に記載の方法。
【請求項２３】
前記フレームの別のサブフレームに関する前記適応サブフレーム構成のための干渉統計値をワイヤレスネットワークの別の基地局と交換すること
をさらに備える、請求項１に記載の方法。
【請求項２４】
ワイヤレス通信のための装置であって、
フレームの各サブフレームのためのレガシーサブフレーム構成オプションを定義するレガシーアップリンク／ダウンリンク（ＵＬ／ＤＬ）構成を識別するための手段と、ここにおいて、前記レガシーサブフレーム構成オプションが、ＵＬサブフレーム構成、ＤＬサブフレーム構成、またはスペシャルサブフレーム構成を備える、
前記サブフレームのための前記レガシーサブフレーム構成が前記ＵＬサブフレーム構成、前記ＤＬサブフレーム構成、または前記スペシャルサブフレーム構成であるかどうかに少なくとも部分的に基づいて、前記フレームのサブフレームのための制約を決定するための手段と、
前記制約に少なくとも部分的に基づいて、前記フレームの前記サブフレームのための適応サブフレーム構成を決定するための手段と、ここにおいて、前記サブフレームのための前記レガシーサブフレーム構成が前記ＵＬサブフレーム構成、前記ＤＬサブフレーム構成、または前記スペシャルサブフレーム構成であるかどうかに関わらず、前記適応サブフレーム構成が、少なくとも１つのダウンリンク（ＤＬ）シンボル期間と少なくとも１つのアップリンク（ＵＬ）シンボル期間とを備え、前記サブフレームのための前記適応サブフレーム構成を決定することが、前記サブフレームのための前記レガシーサブフレーム構成に少なくとも部分的に基づいて、前記少なくとも１つのＤＬシンボル期間中のＤＬシンボルの数と、前記少なくとも１つのＵＬシンボル期間中のＵＬシンボルの数とを決定することを備える、
前記適応サブフレーム構成に従って前記サブフレーム中に通信するための手段と
を備える装置。
【請求項２５】
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
フレームの各サブフレームのためのレガシーサブフレーム構成オプションを定義するレガシーアップリンク／ダウンリンク（ＵＬ／ＤＬ）構成を識別することと、ここにおいて、前記レガシーサブフレーム構成オプションが、ＵＬサブフレーム構成、ＤＬサブフレーム構成、またはスペシャルサブフレーム構成を備える、
前記サブフレームのための前記レガシーサブフレーム構成が前記ＵＬサブフレーム構成、前記ＤＬサブフレーム構成、または前記スペシャルサブフレーム構成であるかどうかに少なくとも部分的に基づいて、前記フレームのサブフレームのための制約を決定することと、
前記制約に少なくとも部分的に基づいて、前記フレームの前記サブフレームのための適応サブフレーム構成を決定することと、ここにおいて、前記サブフレームのための前記レガシーサブフレーム構成が前記ＵＬサブフレーム構成、前記ＤＬサブフレーム構成、または前記スペシャルサブフレーム構成であるかどうかに関わらず、前記適応サブフレーム構成が、少なくとも１つのダウンリンク（ＤＬ）シンボル期間と少なくとも１つのアップリンク（ＵＬ）シンボル期間とを備え、前記サブフレームのための前記適応サブフレーム構成を決定することが、前記サブフレームのための前記レガシーサブフレーム構成に少なくとも部分的に基づいて、前記少なくとも１つのＤＬシンボル期間中のＤＬシンボルの数と、前記少なくとも１つのＵＬシンボル期間中のＵＬシンボルの数とを決定することを備える、
前記適応サブフレーム構成に従って前記サブフレーム中に通信することと
を行わせるように動作可能である、装置。
【請求項２６】
前記命令は、前記装置に、
前記適応サブフレーム構成の指示を１つまたは複数のユーザ機器（ＵＥ）に送信すること
を行わせるようにさらに動作可能である、請求項２５に記載の装置。
【請求項２７】
前記命令は、前記装置に、
基地局から前記適応サブフレーム構成の指示を受信することを行わせるようにさらに動作可能であり、ここにおいて、前記適応サブフレーム構成の前記決定が、前記指示に少なくとも部分的に基づく、
請求項２５に記載の装置。
【請求項２８】
前記命令は、前記装置に、
前記フレームの別のサブフレームに関する前記適応サブフレーム構成のための干渉統計値をワイヤレスネットワークの別の基地局と交換すること
を行わせるようにさらに動作可能である、請求項２５に記載の装置。
【請求項２９】
ワイヤレス通信のためのコードを記憶する非一時的コンピュータ可読媒体であって、前記コードは、
フレームの各サブフレームのためのレガシーサブフレーム構成オプションを定義するレガシーアップリンク／ダウンリンク（ＵＬ／ＤＬ）構成を識別することと、ここにおいて、前記レガシーサブフレーム構成オプションが、ＵＬサブフレーム構成、ＤＬサブフレーム構成、またはスペシャルサブフレーム構成を備える、
前記サブフレームのための前記レガシーサブフレーム構成が前記ＵＬサブフレーム構成、前記ＤＬサブフレーム構成、または前記スペシャルサブフレーム構成であるかどうかに少なくとも部分的に基づいて、前記フレームのサブフレームのための制約を決定することと、
前記制約に少なくとも部分的に基づいて、前記フレームの前記サブフレームのための適応サブフレーム構成を決定することと、ここにおいて、前記サブフレームのための前記レガシーサブフレーム構成が前記ＵＬサブフレーム構成、前記ＤＬサブフレーム構成、または前記スペシャルサブフレーム構成であるかどうかに関わらず、前記適応サブフレーム構成が、少なくとも１つのダウンリンク（ＤＬ）シンボル期間と少なくとも１つのアップリンク（ＵＬ）シンボル期間とを備え、前記サブフレームのための前記適応サブフレーム構成を決定することが、前記サブフレームのための前記レガシーサブフレーム構成に少なくとも部分的に基づいて、前記少なくとも１つのＤＬシンボル期間中のＤＬシンボルの数と、前記少なくとも１つのＵＬシンボル期間中のＵＬシンボルの数とを決定することを備える、
前記適応サブフレーム構成に従って前記サブフレーム中に通信することと
を行うためにプロセッサによって実行可能な命令を備える、非一時的コンピュータ可読媒体。